(57)【要約】【課題】ポイントカードにレシート情報を印字又は表示することによって、レシート印刷量を削減することができるレジスタ装置を提供する。【解決手段】レシート情報作成部１１がレシート情報を取得し、ポイントカードリーダライタ部１３がポイントカードの電磁記録領域から記録領域情報を取得し、判断部１４が記録領域情報に含まれる印刷形式を判断し、判断結果に基づきポイントカードへの印字又は表示対象のレシート情報を設定する。ポイントカード印字／表示情報・記録領域情報作成部１５がポイントカードへの印字又は表示対象のレシート情報とポイント算出部１２によって算出されたポイントとに基づき、ポイントカード印字／表示情報と記録領域情報とを作成し、ポイントカードリーダライタ部１３がポイントカード印字／表示情報をポイントカードに印字又は表示し、記録領域情報をポイントカードの電磁記録領域に記録する。【選択図】図１
2010015389.tif 000002
【特許請求の範囲】
【請求項１】
商品の購入に応じたポイントを書換可能なポイントカードにレシート情報を印字又は表示するレジスタ装置であって、
商品の購入に応じたポイントを算出するポイント算出手段と、
上記ポイントカードが備える記録領域に、少なくともレシート情報の印刷形式に関する情報を含む情報を記録領域情報として書き込む記録領域情報ライト手段と、
商品の購入に関するレシート情報を作成するレシート情報作成手段と、
上記ポイントカードが備える記録領域から記録領域情報を読み込んで取得するポイントカードリード手段と、
上記取得された記録領域情報に含まれるレシート情報の印刷形式に関する情報とに基づいて、レシート情報の印刷形式を判断するとともに、該印刷形式の判断結果と上記作成されたレシート情報とに基づいて、ポイントカードへの印字又は表示対象のレシート情報を設定する判断手段と、
上記設定されたポイントカードへの印字又は表示対象のレシート情報と上記算出されたポイントとに基づいて、上記ポイントカードへの印字又は表示対象の情報をポイントカード印字／表示情報として作成するポイントカード印字／表示情報作成手段と、
上記生成されたポイントカード印字／表示情報を上記ポイントカードに印字／表示する印字／表示手段とを備える
ことを特徴とするレジスタ装置。
【請求項２】
紙への印刷対象の情報を紙印刷情報として作成する紙印刷情報作成手段と、
上記紙印刷情報を紙へ印刷する紙印刷手段を備え、
上記レシート情報の印刷形式が、レシート情報の情報量がオーバーフローした時に該オーバーフローした分のレシート情報を紙へ印刷するという印刷形式である場合に、上記判断手段が、上記レシート情報作成手段によって作成されたレシート情報の情報量が所定の閾値を超えるかを判断し、レシート情報の情報量が所定の閾値を超えると判断されたときに、該閾値を超えない分のレシート情報をポイントカードへの印字又は表示対象のレシート情報として設定するとともに、該閾値を超える分のレシート情報を紙への印刷対象として設定し、
上記ポイントカード印字／表示情報作成手段が、上記設定されたポイントカードへの印字又は表示対象のレシート情報とポイントとに基づいて、上記ポイントカード印字／表示情報を作成し、
上記紙印刷情報作成手段が、上記設定された紙への印刷対象とポイントとに基づいて、上記紙印刷情報を作成する
ことを特徴とする請求項１記載のレジスタ装置。
【請求項３】
上記レシート情報の印刷形式が、レシート情報の情報量がオーバーフローした時に、少なくとも該オーバーフローした分のレシート情報をコード印字／表示するという印刷形式である場合に、上記判断手段が、上記作成されたレシート情報の情報量が所定の閾値を超えるかを判断し、レシート情報の情報量が所定の閾値を超えると判断されたときに、少なくとも該閾値を超える分のレシート情報をコード情報に変換し、該コード情報と上記閾値を超えない分のレシート情報とをポイントカードへの印字又は表示対象のレシート情報として設定する
ことを特徴とする請求項１記載のレジスタ装置。
【請求項４】
上記レシート情報の印刷形式が、レシート情報の情報量を縮小し、該情報量の縮小後のレシート情報を印字／表示するという印刷形式である場合に、上記判断手段が、上記作成されたレシート情報の情報量を縮小し、該情報量の縮小後のレシート情報をポイントカードへの印字又は表示対象のレシート情報として設定する
ことを特徴とする請求項１記載のレジスタ装置。
【請求項５】
紙への印刷対象の情報を紙印刷情報として作成する紙印刷情報作成手段と、
上記紙印刷情報を紙へ印刷する紙印刷手段を備え、
上記レシート情報の印刷形式が、レシート情報の情報量を縮小し、該情報量の縮小後のレシート情報の情報量がオーバーフローした場合に該オーバーフローした分のレシート情報を紙へ印刷するという印刷条件であるときに、上記判断手段が、上記作成されたレシート情報の情報量を縮小し、該情報量の縮小後のレシート情報の情報量が所定の閾値を超えるかを判断し、該情報量の縮小後のレシート情報の情報量が所定の閾値を超えると判断されたときに、該閾値を超えない分のレシート情報をポイントカードへの印字又は表示対象のレシート情報として設定するとともに、該閾値を超える分のレシート情報を紙への印刷対象として設定し、
上記ポイントカード印字／表示情報作成手段が、上記設定されたポイントカードへの印字又は表示対象のレシート情報とポイントとに基づいて、上記ポイントカード印字／表示情報を作成し、
上記紙印刷情報作成手段が、上記設定された紙への印刷対象とポイントとに基づいて、上記紙印刷情報を作成する
ことを特徴とする請求項１記載のレジスタ装置。
【請求項６】
上記レシート情報の印刷形式が、レシート情報の情報量を縮小し、該情報量の縮小後のレシート情報の情報量がオーバーフローした場合に少なくとも該オーバーフローした分のレシート情報をコード印字／表示するという印刷条件であるときに、上記判断手段が、上記作成されたレシート情報の情報量を縮小し、該情報量の縮小後のレシート情報の情報量が所定の閾値を超えるかを判断し、該情報量の縮小後のレシート情報の情報量が所定の閾値を超えると判断されたときに、少なくとも該閾値を超える分のレシート情報をコード情報に変換し、該コード情報と上記閾値を超えない分のレシート情報とをポイントカードへの印字又は表示対象のレシート情報として設定する
ことを特徴とする請求項１記載のレジスタ装置。
【請求項７】
上記レシート情報の印刷形式が、レシート情報に含まれる購入された商品の合計金額と、該レシート情報を示すコード情報とを印字／表示するという印刷形式である場合に、上記判断手段が、上記作成されたレシート情報をコード情報に変換するとともに、該コード情報と、上記レシート情報に含まれる商品の合計金額とを上記ポイントカードへの印字又は表示対象のレシート情報として設定する
ことを特徴とする請求項１記載のレジスタ装置。
【請求項８】
上記レシート情報作成手段によって作成されたレシート情報の情報量と、上記判断手段によって設定される、紙への印刷対象の情報量との差分に応じたポイントを差分対応ポイントとして決定する差分対応ポイント決定部を備え、
上記ポイントカード印字／表示情報作成手段が、更に、上記差分対応ポイントに基づいて、上記ポイントカード印字／表示情報を作成し、
上記紙印刷情報作成手段が、更に、上記差分対応ポイントに基づいて、上記紙印刷情報を作成する
ことを特徴とする請求項２又は請求項５記載のレジスタ装置。
【請求項９】
上記ポイントカードが電子ペーパーを有する
ことを特徴とする請求項１乃至８のいずれか１項に記載のレジスタ装置。
【発明の詳細な説明】
【技術分野】
【０００１】
本発明は、ポイントカードにレシート情報を印字又は表示するレジスタ装置に関する。
【背景技術】
【０００２】
近年、スーパーマーケットやコンビニエンスストア等の商店において消費者が商品を購入する際に、消費者がレジ袋に替えてマイパックを用いる等のエコロジが奨励されている。
【０００３】
一般に、商店で用いられている現在のレジスタ装置は、キーボード入力等を通じて、商品の購入に関するレジスタ情報を取得し、該レジスタ情報を全て紙印刷（レシート印刷）している。
【０００４】
なお、カード状記憶媒体を利用して買物客に対し特売日や推奨商品等の販売促進に効果がある伝言を通知することができる電子式キャッシュレジスタが提案されている（例えば、特許文献１を参照）。
【特許文献１】特許第３１８２４８９号公報
【発明の開示】
【発明が解決しようとする課題】
【０００５】
レジスタ情報を全て紙印刷する現在のレジスタ装置は、レシート印刷用の紙を大量に消費する。また、消費者の多くは、レシートを見ないままレシートを捨てているのが現状である。
【０００６】
一方、現在、ほとんどのスーパーマーケットやコンビニエンスストアでは、ポイントカードを拡販施策として取り入れている。本発明者らの検討によれば、ポイントカードにレジスタ情報を印字又は表示して消費者に渡すことによって、レシート印刷量を削減することができると考えられる。
【０００７】
本発明は、ポイントカードにレシート情報を印字又は表示することによって、レシート印刷量を削減することができるレジスタ装置の提供を目的とする。
【課題を解決するための手段】
【０００８】
本発明のレジスタ装置は、商品の購入に応じたポイントを書換可能なポイントカードにレシート情報を印字又は表示するレジスタ装置であって、商品の購入に応じたポイントを算出するポイント算出手段と、上記ポイントカードが備える記録領域に、少なくともレシート情報の印刷形式に関する情報を含む情報を記録領域情報として書き込む記録領域情報ライト手段と、商品の購入に関するレシート情報を作成するレシート情報作成手段と、上記ポイントカードが備える記録領域から記録領域情報を読み込んで取得するポイントカードリード手段と、上記取得された記録領域情報に含まれるレシート情報の印刷形式に関する情報とに基づいて、レシート情報の印刷形式を判断するとともに、該印刷形式の判断結果と上記作成されたレシート情報とに基づいて、ポイントカードへの印字又は表示対象のレシート情報を設定する判断手段と、上記設定されたポイントカードへの印字又は表示対象のレシート情報と上記算出されたポイントとに基づいて、上記ポイントカードへの印字又は表示対象の情報をポイントカード印字／表示情報として作成するポイントカード印字／表示情報作成手段と、上記生成されたポイントカード印字／表示情報を上記ポイントカードに印字／表示する印字／表示手段とを備える。
【０００９】
好ましくは、本発明のレジスタ装置は、紙への印刷対象の情報を紙印刷情報として作成する紙印刷情報作成手段と、上記紙印刷情報を紙へ印刷する紙印刷手段を備え、上記レシート情報の印刷形式が、レシート情報の情報量がオーバーフローした時に該オーバーフローした分のレシート情報を紙へ印刷するという印刷形式である場合に、上記判断手段が、上記レシート情報作成手段によって作成されたレシート情報の情報量が所定の閾値を超えるかを判断し、レシート情報の情報量が所定の閾値を超えると判断されたときに、該閾値を超えない分のレシート情報をポイントカードへの印字又は表示対象のレシート情報として設定するとともに、該閾値を超える分のレシート情報を紙への印刷対象として設定し、上記ポイントカード印字／表示情報作成手段が、上記設定されたポイントカードへの印字又は表示対象のレシート情報とポイントとに基づいて、上記ポイントカード印字／表示情報を作成し、上記紙印刷情報作成手段が、上記設定された紙への印刷対象とポイントとに基づいて、上記紙印刷情報を作成する。
【００１０】
好ましくは、上記レシート情報の印刷形式が、レシート情報の情報量がオーバーフローした時に、少なくとも該オーバーフローした分のレシート情報をコード印字／表示するという印刷形式である場合に、上記判断手段が、上記作成されたレシート情報の情報量が所定の閾値を超えるかを判断し、レシート情報の情報量が所定の閾値を超えると判断されたときに、少なくとも該閾値を超える分のレシート情報をコード情報に変換し、該コード情報と上記閾値を超えない分のレシート情報とをポイントカードへの印字又は表示対象のレシート情報として設定する。
【００１１】
好ましくは、上記レシート情報の印刷形式が、レシート情報の情報量を縮小し、該情報量の縮小後のレシート情報を印字／表示するという印刷形式である場合に、上記判断手段が、上記作成されたレシート情報の情報量を縮小し、該情報量の縮小後のレシート情報をポイントカードへの印字又は表示対象のレシート情報として設定する。
【００１２】
好ましくは、本発明のレジスタ装置は、紙への印刷対象の情報を紙印刷情報として作成する紙印刷情報作成手段と、上記紙印刷情報を紙へ印刷する紙印刷手段を備え、上記レシート情報の印刷形式が、レシート情報の情報量を縮小し、該情報量の縮小後のレシート情報の情報量がオーバーフローした場合に該オーバーフローした分のレシート情報を紙へ印刷するという印刷条件であるときに、上記判断手段が、上記作成されたレシート情報の情報量を縮小し、該情報量の縮小後のレシート情報の情報量が所定の閾値を超えるかを判断し、該情報量の縮小後のレシート情報の情報量が所定の閾値を超えると判断されたときに、該閾値を超えない分のレシート情報をポイントカードへの印字又は表示対象のレシート情報として設定するとともに、該閾値を超える分のレシート情報を紙への印刷対象として設定し、上記ポイントカード印字／表示情報作成手段が、上記設定されたポイントカードへの印字又は表示対象のレシート情報とポイントとに基づいて、上記ポイントカード印字／表示情報を作成し、上記紙印刷情報作成手段が、上記設定された紙への印刷対象とポイントとに基づいて、上記紙印刷情報を作成する。
【００１３】
好ましくは、上記レシート情報の印刷形式が、レシート情報の情報量を縮小し、該情報量の縮小後のレシート情報の情報量がオーバーフローした場合に少なくとも該オーバーフローした分のレシート情報をコード印字／表示するという印刷条件であるときに、上記判断手段が、上記作成されたレシート情報の情報量を縮小し、該情報量の縮小後のレシート情報の情報量が所定の閾値を超えるかを判断し、該情報量の縮小後のレシート情報の情報量が所定の閾値を超えると判断されたときに、少なくとも該閾値を超える分のレシート情報をコード情報に変換し、該コード情報と上記閾値を超えない分のレシート情報とをポイントカードへの印字又は表示対象のレシート情報として設定する。
【００１４】
好ましくは、上記レシート情報の印刷形式が、レシート情報に含まれる購入された商品の合計金額と、該レシート情報を示すコード情報とを印字／表示するという印刷形式である場合に、上記判断手段が、上記作成されたレシート情報をコード情報に変換するとともに、該コード情報と、上記レシート情報に含まれる商品の合計金額とを上記ポイントカードへの印字又は表示対象のレシート情報として設定する。
【００１５】
好ましくは、本発明のレジスタ装置は、上記レシート情報作成手段によって作成されたレシート情報の情報量と、上記判断手段によって設定される、紙への印刷対象の情報量との差分に応じたポイントを差分対応ポイントとして決定する差分対応ポイント決定部を備え、上記ポイントカード印字／表示情報作成手段が、更に、上記差分対応ポイントに基づいて、上記ポイントカード印字／表示情報を作成し、上記紙印刷情報作成手段が、更に、上記差分対応ポイントに基づいて、上記紙印刷情報を作成する。
【００１６】
好ましくは、上記ポイントカードが電子ペーパーを有する。
【発明の効果】
【００１７】
本発明のレジスタ装置は、ポイントカードにレシート情報を印字又は表示する。従って、本発明によれば、レシート印刷量を削減することができ、エコに貢献することが可能となる。
【００１８】
また、本発明のレジスタ装置は、レシート情報の情報量と閾値との比較結果に基づいて、ポイントカードへの印字又は表示対象のレシート情報を設定する。従って、本発明によれば、レシート情報がオーバーフローした場合に、オーバーフローしない分のレシート情報をポイントカードに印字することができる。
【００１９】
また、本発明のレジスタ装置は、レシート情報の情報量と、紙への印刷対象の情報量との差分に応じたポイントを差分対応ポイントとして決定し、差分対応ポイントに基づいて、ポイントカードへの印字又は表示対象の情報を作成する。従って、本発明によれば、上記差分対応ポイントを含む情報（例えば、差分対応ポイントを含む今回のポイント数）をポイントカードへ印字／表示することができる。
【発明を実施するための最良の形態】
【００２０】
以下に、図を用いて、本発明の実施の形態のレジスタ装置について説明する。図１は、本発明の実施の形態のレジスタ装置の構成例を示す図である。
【００２１】
レジスタ装置１は、商品の購入に応じたポイントを書換可能なポイントカードにレシート情報を印字又は表示する処理装置である。レジスタ装置１は、レシート情報作成部１１、ポイント算出部１２、ポイントカードリーダライタ部１３、判断部１４、ポイントカード印字／表示情報・記録領域情報作成部１５、紙印刷情報作成部１６、紙印刷部１７、表示部１８、ポイント付与基準記憶部１９を備える。
【００２２】
レシート情報作成部１１は、商品の購入に応じたレシート情報を作成する。レシート情報は、少なくとも商品の購入日時、商品名、各商品の購入数、購入された商品の合計金額を含む情報である。レシート情報作成部１１は、商品の購入時に例えばキーボード等を通じて入力された商品の個数、商品の識別情報、図４を参照して後述する時計回路３４（図１では図示を省略）によって取得される現在時刻情報に基づいて、上記レシート情報を作成する。レシート情報作成部１１が、更に、後述するポイントカードリーダライタ部１３がリードする記録領域情報に含まれる、例えばポイントカードの識別情報、ポイントカードの発行店の識別番号、ポイントの有効期限の情報等をレシート情報に含ませるようにしてもよい。
【００２３】
ポイント算出部１２は、作成されたレシート情報と後述するポイント付与基準記憶部１９内のポイント付与基準とに基づいて、今回商品を購入した消費者に付与するポイントを算出する。ポイント付与基準は、例えば、商品の購入額に応じたポイントを付与するといった、ポイントを付与する基準である。
【００２４】
ポイントカードリーダライタ部１３は、商品が消費者によって購入される時に、該消費者から渡されたポイントカードに記録されている情報をリードする。また、ポイントカードリーダライタ部１３は、該ポイントカードに情報をライトする。具体的には、ポイントカードリーダライタ部１３は、ポイントカードが備える記録領域（例えば、図５を参照して後述する電磁記録領域５１）から、後述する記録領域情報をリードして取得する。また、ポイントカードリーダライタ部１３は、上記ポイントカードが備える記録領域に、少なくともレシート情報の印刷形式に関する情報を含む情報を記録領域情報として書き込む（ライトする）。レシート情報の印刷形式は、予め決められたレシート情報の印字／表示形式であってもよい。また、レシート情報の印刷形式が、どのような条件の時にどのような印刷形式でレシート情報を印刷するかを示す印刷条件を含むようにしてもよい。なお、上記記録領域に書き込まれる記録領域情報は、ポイントカード印字／表示情報・記録領域情報作成部１５によって作成される。また、ポイントカードリーダライタ部１３は、ポイントカード印字／表示情報・記録領域情報作成部１５によって作成される、ポイントカード印字／表示情報をポイントカードに印字／表示する。なお、ポイントカードリーダライタ部１３が、例えば、商品の購入時に消費者によって選択されてキーボード等を通じて入力された、レシート情報の印刷形式の情報を、記録領域情報の一部としてポイントカードの記録領域にライトするようにしてもよい。
【００２５】
判断部１４は、上記ポイントカードリーダライタ部１３によって取得された記録領域情報に含まれるレシート情報の印刷形式に関する情報に基づいて、レシート情報の印刷形式を判断するとともに、該印刷形式の判断結果と上記レシート情報作成部１１によって作成されたレシート情報とに基づいて、ポイントカードへの印字又は表示対象のレシート情報を設定する。例えば、判断部１４は、記録領域情報に含まれるレシート情報の印刷形式に関する情報に基づいて、レシート情報の印字／表示形式を認識し、該認識された印字／表示形式とレシート情報とに基づいて、ポイントカードへの印字又は表示対象のレシート情報を設定する。また、例えば、判断部１４は、レシート情報の印刷形式に含まれる印刷条件に基づいて、ポイントカードへの印字又は表示対象のレシート情報を設定する。
【００２６】
ポイントカード印字／表示情報・記録領域情報作成部１５は、判断部１４によって設定されたポイントカードへの印字又は表示対象のレシート情報とポイント算出部１２によって算出されたポイントとに基づいて、ポイントカード印字／表示情報と記録領域情報とを作成する。ポイントカード印字／表示情報は、ポイントカードへの印字又は表示対象の情報であって、少なくともポイントカードへの印字又は表示対象のレシート情報とポイントとを含む。作成された記録領域情報は、上述したポイントカードリーダライタ部１３によってポイントカードの記録領域に書き込まれて記録される。紙印刷情報作成部１６は、紙への印刷対象の情報を紙印刷情報として作成する。紙印刷部１７は、紙印刷情報を紙へ印刷する。表示部１８は、ポイントカードリーダライタ部１３によってリードされた情報を表示する。ポイント付与基準記憶部１９には、前述したポイント付与基準が予め記憶される。
【００２７】
本発明の一実施形態によれば、上記記録領域情報に含まれるレシート情報の印刷形式が、レシート情報の情報量がオーバーフローした時に該オーバーフローした分のレシート情報を紙へ印刷するという印刷形式である場合に、判断部１４が、レシート情報作成部１１によって作成されたレシート情報の情報量が所定の閾値を超えるかを判断し、レシート情報の情報量が所定の閾値を超えると判断されたときに、該閾値を超えない分のレシート情報をポイントカードへの印字又は表示対象のレシート情報として設定するとともに、該閾値を超える分のレシート情報を紙への印刷対象として設定するようにしてもよい。また、上記ポイントカード印字／表示情報・記録領域情報作成部１５が、上記設定されたポイントカードへの印字又は表示対象のレシート情報とポイントとに基づいて、ポイントカード印字／表示情報と記録領域情報とを作成するようにしてもよい。また、上記紙印刷情報作成部１６が、上記設定された紙への印刷対象とポイントとに基づいて、紙印刷部１７によって印刷される紙印刷情報を作成するようにしてもよい。
【００２８】
本発明の一実施形態によれば、上記記録領域情報に含まれるレシート情報の印刷形式が、レシート情報の情報量がオーバーフローした時に、少なくとも該オーバーフローした分のレシート情報をコード印字／表示するという印刷形式である場合に、判断部１４が、レシート情報作成部１１によって作成されたレシート情報の情報量が所定の閾値を超えるかを判断し、レシート情報の情報量が所定の閾値を超えると判断されたときに、少なくとも該閾値を超える分のレシート情報をコード情報に変換し、該コード情報と上記閾値を超えない分のレシート情報とをポイントカードへの印字又は表示対象のレシート情報として設定するようにしてもよい。例えば、判断部１４が、上記閾値を超える分のレシート情報をコード情報に変換するようにしてもよい。また、判断部１４が、レシート情報の全てをコード情報に変換するようにしてもよい。なお、上記コード情報が、例えば、ＱＲコードのような二次元コードであってもよい。
【００２９】
本発明の一実施形態によれば、上記記録領域情報に含まれるレシート情報の印刷形式が、レシート情報の情報量を縮小し、該情報量の縮小後のレシート情報を印字／表示するという印刷形式である場合に、判断部１４が、レシート情報作成部１１によって作成されたレシート情報の情報量を縮小し、該情報量の縮小後のレシート情報をポイントカードへの印字又は表示対象のレシート情報として設定するようにしてもよい。例えば、判断部１４は、レシート情報に含まれる２行分のデータを１行分のデータに縮小して、レシート情報の情報量を縮小する。判断部１４が、任意の情報縮小技術を用いてレシート情報の情報量を縮小するようにしてもよい。例えば、判断部１４が、レシート情報が示す文字の大きさを縮小することによって、レシート情報の情報量を縮小してもよい。
【００３０】
本発明の一実施形態によれば、上記記録領域情報に含まれるレシート情報の印刷形式が、レシート情報の情報量を縮小し、該情報量の縮小後のレシート情報の情報量がオーバーフローした場合に該オーバーフローした分のレシート情報を紙へ印刷するという印刷条件であるときに、判断部１４が、レシート情報作成部１１によって作成されたレシート情報の情報量を縮小し、該情報量の縮小後のレシート情報の情報量が所定の閾値を超えるかを判断し、該情報量の縮小後のレシート情報の情報量が所定の閾値を超えると判断されたときに、該閾値を超えない分のレシート情報をポイントカードへの印字又は表示対象のレシート情報として設定するとともに、該閾値を超える分のレシート情報を紙への印刷対象として設定するようにしてもよい。
【００３１】
本発明の一実施形態によれば、上記記録領域情報に含まれるレシート情報の印刷形式が、レシート情報の情報量を縮小し、該情報量の縮小後のレシート情報の情報量がオーバーフローした場合に少なくとも該オーバーフローした分のレシート情報をコード印字／表示するという印刷条件であるときに、判断部１４が、レシート情報作成部１１によって作成されたレシート情報の情報量を縮小し、該情報量の縮小後のレシート情報の情報量が所定の閾値を超えるかを判断し、該情報量の縮小後のレシート情報の情報量が所定の閾値を超えると判断されたときに、少なくとも該閾値を超える分のレシート情報をコード情報に変換し、該コード情報と上記閾値を超えない分のレシート情報とをポイントカードへの印字又は表示対象のレシート情報として設定する。例えば、判断部１４が、上記閾値を超える分のレシート情報をコード情報に変換するようにしてもよい。また、判断部１４が、レシート情報の全てをコード情報に変換するようにしてもよい。
【００３２】
本発明の一実施形態によれば、上記記録領域情報に含まれるレシート情報の印刷形式が、レシート情報に含まれる購入された商品の合計金額と、該レシート情報を示すコード情報とを印字／表示するという印刷形式である場合に、判断部１４が、レシート情報作成部１１によって作成されたレシート情報をコード情報に変換するとともに、該コード情報と、上記レシート情報に含まれる商品の合計金額とを上記ポイントカードへの印字又は表示対象のレシート情報として設定するようにしてもよい。
【００３３】
本発明の一実施形態によれば、ポイントカードが電子ペーパーを有していてもよい。そして、ポイントカードリーダライタ部１３が、ポイントカードが有する電子ペーパーに対してポイントカードへの印字又は表示対象のレコード情報を印字／表示するようにしてもよい。
【００３４】
本発明の一実施形態によれば、図示を省略するサッカー台等に設けられたコード情報読取装置がポイントカードから読み取ったコード情報をレジスタ装置１が備える所定の処理部が取得し、表示部１８に表示させるようにしてもよい。すなわち、商品の購入時にレシート情報を示すコード情報が印字／表示されたポイントカードを受け取った消費者が上記サッカー台に設けられたコード情報読取装置上にかざすことによって、該コード情報読取装置がポイントカードに印字／表示されたコード情報を読み取ってレジスタ装置１に渡す。レジスタ装置１は、該コード情報が示すレシート情報を表示部１８に表示させる。これにより、消費者が商品購入時にレシート情報の内容を確認することができる。なお、レジスタ装置１が、図示を省略するネットワークを介して、レシート情報を集計する集計サーバ（図１では図示を省略）に送信するようにしてもよい。該集計サーバが、消費者が自宅等で用いるパーソナルコンピュータ等の情報処理装置からネットワークを通じてレシート情報の参照要求を受け、該消費者のレシート情報を該情報処理装置に送信するようにしてもよい。
【００３５】
なお、本発明の一実施形態によれば、紙印刷部１７が、紙印刷情報を任意の情報縮小技術を用いて縮小した上で、該縮小された紙印刷情報を紙に縮小印刷するようにしてもよい。
【００３６】
本発明の実施の形態のレジスタ装置が、図２に示すような構成をとるようにしてもよい。図２に示すレジスタ装置１’が備える処理部のうち、図１に示すレジスタ装置１が備える処理部と同一の符号のものは、図１に示すレジスタ装置１が備える処理部と同様である。レジスタ装置１’が備える差分対応ポイント決定部２０は、レシート情報作成部１１によって作成されたレシート情報の情報量と、判断部１４によって設定される、紙への印刷対象の情報量との差分を決定し、決定された差分に応じたポイントを差分対応ポイントとして決定する。なお、図２中のポイントカード印字／表示情報・記録領域情報作成部１５は、更に、上記差分対応ポイントに基づいて、上記ポイントカード印字／表示情報を作成する。また、ポイントカード印字／表示情報・記録領域情報作成部１５は、更に、上記決定された差分と、差分対応ポイントに基づいて、記録領域情報を作成する。また、上記紙印刷情報作成部１６は、上記差分対応ポイントに基づいて、紙印刷情報を作成する。
【００３７】
図３は、本発明の実施の形態のレジスタ装置の外観図の一例である。また、図４は、本発明の実施の形態のレジスタ装置のハードウェア構成の一例を示す図である。図３、図４では、図１に示すレジスタ装置１の外観とハードウェア構成を例にとって説明する。図１を参照して前述したレジスタ装置１の機能は、図４中に示すＣＰＵ３１が、ＲＯＭ３２に予め記憶された本発明を実現するプログラムを用いて、図４中に示すネットワークＩ／Ｆ（インタフェース）３５、Ｉ／Ｏ（Input/Output）３６、ディスプレイコントローラ３８、キーボードコントローラ４０、プリンタコントローラ４２、リーダライタＩ／Ｆ４４を制御することによって実現される。Ｉ／Ｏ３６は、レジスタ装置１のユーザ（例えば、店員）による入力に従って、ドロワ３７（図３、図４を参照）を開放する。ディスプレイコントローラ３８は、ＲＡＭ３３に記憶されるレジスタ情報等をディスプレイ２９（図３を参照）に表示する。すなわち、ディスプレイコントローラ３８及びディスプレイ２９が図１中の表示部１８に対応する。キーボードコントローラ４０は、キーボード４１を制御して、該キーボード４１を通じて入力された情報（例えば商品の個数、商品の識別情報等）を取得する。プリンタコントローラ４２は、プリンタ４３を制御し、紙印刷情報を紙（レシート）に印字して出力させる。リーダライタＩ／Ｆ４４は、ＣＰＵ３１からの指示をポイントカードリーダライタ４５に伝達する。ポイントカードリーダライタ４５は、ＣＰＵ３１からの指示に従って、ポイントカードから記録領域情報をリードする。また、ポイントカードリーダライタ４５は、ＣＰＵ３１からの指示に従って、ポイントカードにポイントカード印字／表示情報をライト（印字又は表示）する。ポイントカードリーダライタ４５（図３、図４を参照）は、図１中に示すポイントカードリーダライタ部１３に対応する。
【００３８】
ＲＯＭ３２には本発明を実現するプログラムが予め記憶される。ＲＡＭ３３には、レジスタ装置１が作成した情報（例えば、レジスタ情報）やレジスタ装置１が取得した情報（例えば、記録領域情報等）が記憶される。時計回路３４は、現在時刻情報を取得する。レジスタ装置１がネットワークを通じて前述した集計サーバにレジスタ情報を送信する構成をとる場合に、該集計サーバに対するレジスタ情報の送信を媒介する。
【００３９】
図５は、本発明の実施の形態においてレシート情報が印字／表示されるポイントカードの例を示す図である。図５中に示すポイントカード５０の電磁記録領域５１には、図１中のポイントカードリーダライタ部１３によって、前述した記録領域情報が記録される。また、点線で囲った部分に示すレシート情報印字領域５２には、ポイントカードリーダライタ部１３によって、ポイントカードへの印字対象のレシート情報を含むポイントカード印字／表示情報が印字又は表示される。
【００４０】
上記電磁記録領域５１に記録される記録領域情報は、例えば、ポイントカードの識別情報である「ポイントカードＩＤ」、ポイントカードの発行店の識別番号である「ポイント発行店Ｎｏ」、レシート情報の印刷形式を示す「印刷形式」、今回の商品の購入に対応するポイント数である「今回ポイント数」、現在の累計ポイント数である「累計ポイント数」、ポイントの有効期限である「ポイント有効期限」、レシート情報を今回ポイントカードに印字／表示することによって省略された紙（レシート）の長さ（又は行数）である「レシート省略長」、現在までの総レシート省略長である「総レシート省略長」等である。例えば、上記「ポイントカードＩＤ」、「ポイント発行店Ｎｏ」は、電磁記録領域５１に予め記録される。
【００４１】
図２を参照して前述した差分対応ポイント決定部２０が、レシート情報作成部１１によって作成されたレシート情報の情報量と、判断部１４によって設定される、紙への印刷対象の情報量との差分に基づいて、上記レシート省略長を決定する。また、上記「今回ポイント数」が、ポイント算出部１２によって算出されるポイントと差分対応ポイント決定部２０によって決定される差分対応ポイントとを加算して得られるポイント数であってもよい。
【００４２】
差分対応ポイント決定部２０によるレシート省略長と差分対応ポイントの決定処理の例について以下に説明する。差分対応ポイント決定部２０は、例えば、レシート情報作成部１１によって作成されたレシート情報に基づいて、レシート情報が全て紙印刷された場合のレシート長を第１のレシート長として算出する。
【００４３】
次に、差分対応ポイント決定部２０は、判断部１４によって設定される、紙への印刷対象の情報量に基づいて、今回実際に印刷される紙（レシート）のレシート長を第２のレシート長として算出する。差分対応ポイント決定部２０は、第１のレシート長から第２のレシート長を引いた値を、レシート省略長として決定する。そして、差分対応ポイント決定部２０は、レシート省略長を予め決められた１ポイント当たりのレシート長で除算して得られるポイントを差分対応ポイントとして決定する。なお、ポイントカード印字／表示情報・記録領域情報作成部１５は、上記レシート省略長を累計して、上記「総レシート省略長」を決定する。
【００４４】
以下に、上記電磁記録領域５１に記録される記録領域情報に含まれる「印刷形式」の例を示す。
（１）印刷形式１：ポイントカード印字  オーバーフロー時  紙印刷
（２）印刷形式２：ポイントカード印字  オーバーフロー時  追加はＱＲコード印字
（３）印刷形式３：ポイントカード印字  オーバーフロー時  合計金額以外はＱＲコード印字
（４）印刷形式４：ポイントカード印字  縮小印刷１  オーバーフロー時  紙印刷
（５）印刷形式５：ポイントカード印字  縮小印刷１  オーバーフロー時  ＱＲコード印字
（６）印刷形式６：ポイントカード印字  合計金額とＱＲコード印字
（７）印刷形式７：ポイントカード印字  金額と数量  オーバーフロー時  紙印刷
（８）印刷形式８：ポイントカード印字  縮小印刷１
印刷形式１乃至８は、レシート情報をポイントカードに印字することを示す印刷形式である。特に、印刷形式１は、レシート情報がオーバーフローした（例えば、印字されるレシート情報の行数が所定の閾値を超えた）場合に、該オーバーフローした分（例えば、上記閾値を超える行数分）のレシート情報を紙に印刷することを示す。印刷形式２は、レシート情報がオーバーフローした場合に、オーバーフローした分のレシート情報をＱＲコード印字することを示す。印刷形式３は、レシート情報がオーバーフローした場合に、オーバーフローした分のレシート情報のうち、合計金額をポイントカードに印字し、該合計金額以外のレシート情報をＱＲコード印字することを示す。
【００４５】
印刷形式４、５、８は、レシート情報の情報量を縮小し、該情報量の縮小後のレシート情報をポイントカードに印字することを示す。印刷形式４は、更に、情報量が縮小されたレシート情報がオーバーフローした場合に、オーバーフローした分のレシート情報を紙に印刷することを示す。また、印刷形式５は、更に、情報量が縮小されたレシート情報がオーバーフローした場合に、オーバーフローした分のレシート情報をＱＲコード印字することを示す。印刷形式６は、合計金額と、レシート情報を示すＱＲコードとをポイントカードに印字することを示す。印刷形式７は、レジスタ情報のうち、金額と数量をポイントカードに印字し、レジスタ情報がオーバーフローした場合には、オーバーフローした分のレジスタ情報を紙に印刷することを示す。もちろん、設定された様々な印刷形式を電磁記録領域５１に予め記録しておくようにしてもよい。例えば、上記印刷形式１乃至印刷形式８以外に、例えば、通常の紙印刷を行う印刷形式等を電磁記録領域５１に予め記録しておくようにしてもよい。なお、通常の紙印刷を行う印刷形式が電磁記録領域５１に記録されている場合には、紙印刷部１７が、例えば図６に示すような、全てのレシート情報が印刷された紙（レシート）６０を出力する。
【００４６】
図７は、本発明の実施の形態のレジスタ装置によるレシート情報の印字／表示処理フローの概要を示す図である。
【００４７】
まず、レシート情報作成部１１が、レシート情報を作成する（ステップＳ１）。ポイントカードリーダライタ部１３が、ポイントカードが（所定のポイントカード差し込み口に）セットされたかを判断する（ステップＳ２）。ポイントカードリーダライタ部１３が、ポイントカードがセットされていないと判断した場合は処理を終了する。ポイントカードリーダライタ部１３が、ポイントカードがセットされたと判断した場合は、ポイントカードリーダライタ部１３は、ポイントカードの電磁記録領域をリードして（ステップＳ３）、記録領域情報を取得する。判断部１４が、記録領域情報に含まれる印刷形式を判断し（ステップＳ４）、該判断結果に基づいて、ポイントカードへの印字又は表示対象のレシート情報を設定する。
【００４８】
ポイントカード印字／表示情報・記録領域情報作成部１５が、判断部１４によって設定されたポイントカードへの印字又は表示対象のレシート情報とポイント算出部１２によって算出されたポイントとに基づいて、ポイントカード印字／表示情報と記録領域情報とを作成する（ステップＳ５）。そして、ポイントカードリーダライタ部１３が、上記作成されたポイントカード印字／表示情報をポイントカードのレシート情報印字領域５２に印字又は表示し、上記作成された記録領域情報をポイントカードの電磁記録領域に記録する（ステップＳ６）。
【００４９】
以下に、図８乃至１４を参照して、電磁記録領域に記録されている各々の印刷形式に対応するレシート情報の印字処理について説明する。ここでは、前述した印刷形式１、２、４、５に対応するレシート情報の印字処理を例にとって説明する。
【００５０】
図８は、電磁記録領域に記録されている印刷形式が上述した印刷形式１である場合のレシート情報の印字処理フローの例を示す図である。まず、判断部１４が、電磁記録領域情報に含まれる印刷形式が印刷形式１であることを認識する（ステップＳ１１）。次に、判断部１４が、レシート情報が所定の閾値を超えるかを判断する（ステップＳ１２）。判断部１４が、レシート情報が所定の閾値を超えないと判断した場合は、判断部１４が、該レシート情報をポイントカードへの印字対象のレシート情報として設定し（ステップＳ１８）、ポイントカード印字／表示情報・記録領域情報作成部１５が、上記設定されたポイントカードへの印字対象のレシート情報とポイントとに基づいて、ポイントカード印字／表示情報と記録領域情報とを作成して（ステップＳ１９）、ステップＳ１７に進む。なお、この例では、ポイントカード印字／表示情報は、ポイントカードへの印字対象の情報である。判断部１４が、レシート情報が所定の閾値を超えると判断した場合は、判断部１４が、該閾値を超えない分のレシート情報をポイントカードへの印字対象のレシート情報として設定するとともに、該閾値を超える分のレシート情報を紙への印刷対象として設定する（ステップＳ１３）。ポイントカード印字／表示情報・記録領域情報作成部１５が、上記ステップＳ１３において設定されたポイントカードへの印字対象のレシート情報とポイントとに基づいて、ポイントカード印字／表示情報と記録領域情報とを作成する（ステップＳ１４）。また、紙印刷情報作成部１６が、上記ステップＳ１３において設定された紙への印刷対象とポイントとに基づいて、紙印刷情報を作成する（ステップＳ１５）。紙印刷部１７が、紙印刷情報を紙（レシート）に印刷する（ステップＳ１６）。ポイントカードリーダライタ部１３が、ポイントカードにポイントカード印字／表示情報を印字し、記録領域情報を記録する（ステップＳ１７）。図８に示すレシート情報の印字処理フローに従って、例えばポイントカード５０に、図９（Ａ）に示すようなポイントカード印字／表示情報が印字されるとともに、図９（Ｂ）に示すような紙印刷情報が印刷されたレシート６０が出力される。
【００５１】
図１０は、電磁記録領域に記録されている印刷形式が上述した印刷形式２である場合のレシート情報の印字処理フローの例を示す図である。まず、判断部１４が、電磁記録領域情報に含まれる印刷形式が印刷形式２であることを認識する（ステップＳ２１）。次に、判断部１４が、レシート情報が所定の閾値を超えるかを判断する（ステップＳ２２）。判断部１４が、レシート情報が所定の閾値を超えないと判断した場合は、判断部１４が、該レシート情報をポイントカードへの印字対象のレシート情報として設定し（ステップＳ２６）、ポイントカード印字／表示情報・記録領域情報作成部１５が、上記設定されたポイントカードへの印字対象のレシート情報とポイントとに基づいて、ポイントカード印字／表示情報と記録領域情報とを作成して（ステップＳ２７）、ステップＳ２５に進む。なお、この例では、ポイントカード印字／表示情報は、ポイントカードへの印字対象の情報である。判断部１４が、レシート情報が所定の閾値を超えると判断した場合は、判断部１４が、該閾値を超えない分のレシート情報をＱＲコードに変換し、該ＱＲコードと上記閾値を超えない分のレシート情報とをポイントカードへの印字対象のレシート情報として設定する（ステップＳ２３）。次に、ポイントカード印字／表示情報・記録領域情報作成部１５が、上記ステップＳ２３において設定されたポイントカードへの印字対象のレシート情報と、ポイントとに基づいて、ポイントカード印字／表示情報と記録領域情報とを作成する（ステップＳ２４）。ポイントカードリーダライタ部１３が、ポイントカードにポイントカード印字／表示情報を印字し、記録領域情報を記録する（ステップＳ２５）。図１０に示すレシート情報の印字処理フローに従って、例えばポイントカード５０に、図１１に示すような、ＱＲコード１００を含むポイントカード印字／表示情報が印字される。
【００５２】
図１２は、電磁記録領域に記録されている印刷形式が上述した印刷形式４である場合のレシート情報の印字処理フローの例を示す図である。まず、判断部１４が、電磁記録領域情報に含まれる印刷形式が印刷形式４であることを認識する（ステップＳ３１）。次に、判断部１４が、レシート情報の情報量を縮小する（ステップＳ３２）。例えば、判断部１４は、レシート情報に含まれる２行分のデータを１行分のデータに縮小して、レシート情報の情報量を縮小する。判断部１４が、任意の情報縮小技術を用いてレシート情報の情報量を縮小するようにしてもよい。次に、判断部１４が、情報量の縮小後のレシート情報の情報量が所定の閾値を超えるかを判断する（ステップＳ３３）。判断部１４が、レシート情報が所定の閾値を超えないと判断した場合は、判断部１４が、該レシート情報をポイントカードへの印字対象のレシート情報として設定し（ステップＳ３９）、ポイントカード印字／表示情報・記録領域情報作成部１５が、上記設定されたポイントカードへの印字対象のレシート情報とポイントとに基づいて、ポイントカード印字／表示情報と記録領域情報とを作成して（ステップＳ４０）、ステップＳ３８に進む。なお、この例では、ポイントカード印字／表示情報は、ポイントカードへの印字対象の情報である。判断部１４が、レシート情報が所定の閾値を超えると判断した場合は、判断部１４が、該閾値を超えない分のレシート情報をポイントカードへの印字対象のレシート情報として設定するとともに、該閾値を超える分のレシート情報を紙への印刷対象として設定する（ステップＳ３４）。ポイントカード印字／表示情報・記録領域情報作成部１５が、上記ステップＳ３４において設定されたポイントカードへの印字対象のレシート情報とポイントとに基づいて、ポイントカード印字／表示情報と記録領域情報とを作成する（ステップＳ３５）。また、紙印刷情報作成部１６が、上記ステップＳ３４において設定された紙への印刷対象とポイントとに基づいて、紙印刷情報を作成する（ステップＳ３６）。紙印刷部１７が、紙印刷情報を紙（レシート）に印刷する（ステップＳ３７）。ポイントカードリーダライタ部１３が、ポイントカードにポイントカード印字／表示情報を印字し、記録領域情報を記録する（ステップＳ３８）。図１２に示すレシート情報の印字処理フローに従って、例えばポイントカード５０に図１３（Ａ）に示すようなポイントカード印字／表示情報が印字されるとともに、図１３（Ｂ）に示すような紙印刷情報が印刷されたレシート６０が出力される。
【００５３】
なお、図１３（Ａ）に示す「ＡＢ  １  １１５  ＡＢＣ  ２  ８０」は、本来二行分の情報である「ＡＢＣチョコレート  １個  １１５円」、「ＡＢＣガム  ２個  ８０円」という情報が一行分に縮小された情報である。
【００５４】
図１４は、電磁記録領域に記録されている印刷形式が上述した印刷形式５である場合のレシート情報の印字処理フローの例を示す図である。まず、判断部１４が、記録領域情報に含まれる印刷形式が印刷形式５であることを認識する（ステップＳ５１）。次に、判断部１４が、レシート情報の情報量を縮小する（ステップＳ５２）。次に、判断部１４が、情報量の縮小後のレシート情報の情報量が所定の閾値を超えるかを判断する（ステップＳ５３）。判断部１４が、レシート情報が所定の閾値を超えないと判断した場合は、判断部１４が、該レシート情報をポイントカードへの印字対象のレシート情報として設定し（ステップＳ５７）、ポイントカード印字／表示情報・記録領域情報作成部１５が、上記設定されたポイントカードへの印字対象のレシート情報とポイントとに基づいて、ポイントカード印字／表示情報と記録領域情報とを作成して（ステップＳ５８）、ステップＳ５６に進む。なお、この例では、ポイントカード印字／表示情報は、ポイントカードへの印字対象の情報である。
【００５５】
判断部１４が、レシート情報が所定の閾値を超えると判断した場合は、判断部１４が、該閾値を超えない分のレシート情報をＱＲコードに変換し、該ＱＲコードと上記閾値を超えない分のレシート情報とをポイントカードへの印字対象のレシート情報として設定する（ステップＳ５４）。次に、ポイントカード印字／表示情報・記録領域情報作成部１５が、上記ステップＳ５４において設定されたポイントカードへの印字対象のレシート情報とポイントとに基づいて、ポイントカード印字／表示情報と記録領域情報とを作成する（ステップＳ５５）。ポイントカードリーダライタ部１３が、ポイントカードにポイントカード印字／表示情報を印字し、記録領域情報を記録する（ステップＳ５６）。図１４に示すレシート情報の印字処理フローに従って、例えばポイントカード５０に、図１５に示すような、ＱＲコード１００を含むポイントカード印字／表示情報が印字される。
【００５６】
電磁記録領域に記録されている印刷形式が上述した印刷形式３、６、７、８である場合においても、判断部１４による各々の印刷形式の判断結果に応じて、ポイントカードへの印字処理が行われる。例えば、印刷形式が印刷形式３である場合には、図１６に示すようなポイントカード印字／表示情報がポイントカード５０に印字される。また、例えば、印刷形式が印刷形式６である場合には、図１７に示すようなポイントカード印字／表示情報がポイントカード５０に印字される。また、印刷形式が印刷形式７である場合には、例えば、ポイントカード５０に図１８（Ａ）に示すようなポイントカード印字／表示情報が印字されるとともに、図１８（Ｂ）に示すような紙印刷情報が印刷されたレシート６０が出力される。また、印刷形式が印刷形式８である場合には、例えば、ポイントカード５０に図１９に示すようなポイントカード印字／表示情報が印字される。すなわち、印刷形式が印刷形式８である場合には、レジスタ装置１の判断部１４が、レシート情報に含まれる２行分のデータを１行分のデータに縮小する等して、レシート情報の情報量を縮小し、判断部１４が、該レシート情報をポイントカードへの印字対象のレシート情報として設定し、ポイントカード印字／表示情報・記録領域情報作成部１５が、上記設定されたポイントカードへの印字対象のレシート情報とポイントとに基づいて、ポイントカード印字／表示情報を作成する。そして、ポイントカードリーダライタ部１３が、ポイントカードに、上記図１９に示すようなポイントカード印字／表示情報を印字する。
【図面の簡単な説明】
【００５７】
【図１】本発明の実施の形態のレジスタ装置の構成例を示す図である。
【図２】本発明の実施の形態のレジスタ装置の他の構成例を示す図である。
【図３】本発明の実施の形態のレジスタ装置の外観図の一例である。
【図４】本発明の実施の形態のレジスタ装置のハードウェア構成の一例を示す図である。
【図５】レシート情報が印字／表示されるポイントカードの例を示す図である。
【図６】レシートの出力例を示す図である。
【図７】レシート情報の印字／表示処理フローの概要を示す図である。
【図８】レシート情報の印字処理フローの例を示す図である。
【図９】ポイントカードへの印字例とレシートの出力例を示す図である。
【図１０】レシート情報の印字処理フローの例を示す図である。
【図１１】ポイントカードへの印字例を示す図である。
【図１２】レシート情報の印字処理フローの例を示す図である。
【図１３】ポイントカードへの印字例とレシートの出力例を示す図である。
【図１４】レシート情報の印字処理フローの例を示す図である。
【図１５】ポイントカードへの印字例を示す図である。
【図１６】ポイントカードへの印字例を示す図である。
【図１７】ポイントカードへの印字例を示す図である。
【図１８】ポイントカードへの印字例とレシートの出力例を示す図である。
【図１９】ポイントカードへの印字例を示す図である。
【符号の説明】
【００５８】
１、１’  レジスタ装置
１１  レシート情報作成部
１２  ポイント算出部
１３  ポイントカードリーダライタ部
１４  判断部
１５  ポイントカード印字／表示情報・記録領域情報作成部
１６  紙印刷情報作成部
１７  紙印刷部
１８  表示部
１９  ポイント付与基準記憶部
２０  差分対応ポイント決定部
【図１】
2010015389.tif 000003
【図２】
2010015389.tif 000004
【図３】
2010015389.tif 000005
【図４】
2010015389.tif 000006
【図５】
2010015389.tif 000007
【図６】
2010015389.tif 000008
【図７】
2010015389.tif 000009
【図８】
2010015389.tif 000010
【図９】
2010015389.tif 000011
【図１０】
2010015389.tif 000012
【図１１】
2010015389.tif 000013
【図１２】
2010015389.tif 000014
【図１３】
2010015389.tif 000015
【図１４】
2010015389.tif 000016
【図１５】
2010015389.tif 000017
【図１６】
2010015389.tif 000018
【図１７】
2010015389.tif 000019
【図１８】
2010015389.tif 000020
【図１９】
2010015389.tif 000021